(57)【特許請求の範囲】
【請求項１】
少なくとも第１の無線ユニット（１２０）と第２の無線ユニット（１３０）とを備える無線システム（１１０）であって、前記無線ユニットの双方は送信器（１２２、１３２）と受信器（１２１、１３１）とを備え、前記システム（１１０）において、前記第１の無線ユニット（１２０）は第１の外部の無線ユニット（１０１）と通信するように構成され、前記第２の無線ユニット（１３０）は第２の外部の無線ユニット（１０２）と通信するように構成され、前記無線ユニット（１２０、１３０）の双方の前記送信器（１２２、１３２）が、これらが通信するように構成された方の前記外部の無線ユニットからの要求に応じて、これらの送信信号の出力電力レベルを変化させるように構成され、前記送信器の双方はまた、他方の無線ユニットの前記送信器の前記出力電力レベルにおける変化に応じて、これらの送信信号の前記出力電力レベルを変化させて、前記送信器のうちの一方の前記出力電力レベルにおける要求された変化が、送信器の双方の前記出力電力レベルにおける変化をもたらすように構成され、前記外部の無線ユニットの双方が、同一の期間中に、増加である変化を要求する場合、前記無線ユニットの双方は、これらの送信器に、より大きい増加を使用させるように構成されることを特徴とする、無線システム（１１０）。
【請求項２】
同一の期間中に、前記外部の無線ユニット（１０１、１０２）の双方によって要求される、減少についての要求に応じて、前記第１の無線ユニット（１２０）及び前記第２の無線ユニット（１３０）が、これらの送信器（１２２、１３２）に、これらの送信信号の前記出力電力レベルにおいて一方の減少のみを実行させるように構成されることを特徴とする、請求項１に記載の無線システム（１１０）。
【請求項３】
前記第１の無線ユニット（１２０）及び前記第２の無線ユニット（１３０）の前記送信器によって実行される前記減少は、要求される量が異なる場合、前記２つの外部の無線ユニットによって要求される減少のうちの小さい方であることを特徴とする、請求項２に記載の無線システム（１１０）。
【請求項４】
前記要求される減少は、前記無線ユニット（１２０、１３０）の双方の前記送信器によって等しい量だけ実行されることを特徴とする、請求項３に記載の無線システム（１１０）。
【請求項５】
前記無線ユニットは、これらの出力電力レベルにおける増加又は減少に続く定義された期間中、これらの送信器の前記出力電力レベルにおける増加又は減少についての要求を、無視するように構成されることを特徴とする、請求項１〜４のいずれか１項に記載の無線システム。
【請求項６】
前記無線ユニット（１２０、１３０）のうちの少なくとも１つは、前記システムの他方の無線ユニットが通信するように構成された前記外部の無線ユニットからの干渉をキャンセルするためのキャンセレーション回路（１２３、１３３）を備え、前記キャンセレーション回路（１２３、１３３）は、前記無線ユニット自身の前記受信器によって受信される信号に加えて、前記他方の無線ユニットの前記受信器によって受信される信号のサンプルを受信することを用いて、そのキャンセレーションを行うように構成されることを特徴とする、請求項１〜５のいずれか１項に記載の無線システム（１１０）。
【請求項７】
無線システム（１１０）で用いる方法（４００）であって、少なくとも、第１の外部の無線ユニット（１０１）と通信するための第１の無線ユニット（１２０）と、第２の外部の無線ユニット（１０２）と通信するための第２の無線ユニット（１３０）とを使用すること（４１０）とを含み、前記無線ユニットの双方は送信器（１２２、１３２）と受信器（１２１、１３１）とを備え、前記無線ユニット（１２０、１３０）の双方の前記送信器（１２２、１３２）に、これらが通信する方の前記外部の無線ユニットからの要求に応じて、これらの送信信号の出力電力レベルを変化させること（４１５）を含み、前記方法（４００）はまた、前記送信器の双方に、他方の無線ユニットの前記受信器の前記出力電力レベルにおける変化に応じて、これらの送信信号の前記出力電力レベルを変化させて、前記送信器のうちの一方の前記出力電力レベルにおける要求された変化が、前記送信器の双方の前記出力電力レベルにおける変化をもたらするようにすること（４２０）を含み、前記外部の無線ユニットの双方が、同一の期間に、増加である変化を要求する場合、前記無線ユニットの双方は、これらの送信器に、より大きな増加を使用させることを特徴とする、方法（４００）。
【請求項８】
前記第１の無線ユニット（１２０）及び前記第２の無線ユニット（１３０）の双方の前記送信器（１２２、１３２）は、同一の期間中に前記外部の無線ユニット（１０１、１０２）の双方によって要求される減少についての要求に応じて、これらの送信信号の前記出力電力レベルにおいて一方の減少のみを実行することを特徴とする、請求項７に記載の方法（４００、４３５）。
【請求項９】
前記第１の無線ユニット（１２０）及び前記第２の無線ユニット（１３０）の前記送信器によって実行される前記減少は、前記要求される量が異なる場合、前記２つの外部の無線ユニットによって要求される減少のうちの小さい方であることを特徴とする、請求項８に記載の方法（４００）。
【請求項１０】
前記要求される減少は、前記無線ユニット（１２０、１４０）の双方の前記送信器によって等しい量だけ実行されることを特徴とする、請求項９に記載の方法（４００）。
【請求項１１】
前記無線ユニットは、これらの出力電力レベルにおける増加又は減少に続く定義された期間中、これらの送信器の前記出力電力レベルにおける増加又は減少についての要求を、無視することを特徴とする、請求項７〜１０のいずれか１項に記載の方法（４００）。
【請求項１２】
前記無線ユニット（１２０、１３０）のうちの少なくとも１つが、前記システムの他方の無線ユニットが通信するように構成される前記外部の無線ユニットからの干渉をキャンセルするために、キャンセリング動作を実行し、前記キャンセリングは、前記無線ユニット自身の前記受信器によって受信される信号に加えて、前記他方の無線ユニットの前記受信器によって受信される信号のサンプルを受信することを用いて行われることを特徴とする、請求項７〜１１のいずれか１項に記載の方法（４００）。
【発明の詳細な説明】
【技術分野】
【０００１】
本発明は、改良された無線システムを開示する。
【背景技術】
【０００２】
例えば、マイクロ周波数領域における無線通信システムといった無線通信システムにおいて、特に、いわゆるスター型システム、即ち、中央ノードに対する複数のポイントツーポイントパスを備えるシステムにおいては、異なるパス間で充分な程度の分離（isolation）を達成して、パス間の干渉の程度を許容可能なレベルに低減することが困難である。スター型システムにおけるパス間干渉を低減する公知の方法としては、パス間で大きな周波数分離を用いる方法がある。しかしながら、これは望ましくない。なぜなら、周波数再利用が極めて望ましいからである。即ち、システムにおいては、できるだけ同じ周波数を使用することが望ましいからである。
【０００３】
パス間干渉を低減する別の公知の方法としては、いわゆる「ノードキャンセレーション（node  cancellation）」を用いる方法がある。即ち、隣接するパスからの高い干渉を受ける受信器に、キャンセレーション回路（cancellation  circuit）を備える方法である。キャンセレーション回路は、与干渉パスの受信器からの情報を受信し、この情報を受信器「自身（own）」で受信した信号と共に使用して、例えば、受信器自身で受信した信号と、与干渉パスの受信器で受信された一又は複数の信号とを比較することによって、干渉をキャンセルする。
【発明の概要】
【発明が解決しようとする課題】
【０００４】
本発明の目的は、ノードキャンセレーションと共に周波数再利用が使用可能な無線通信システム、特に、スター型の無線通信システムの設計を可能にすることにある。
【課題を解決するための手段】
【０００５】
この目的は、少なくとも第１の無線ユニットと第２の無線ユニットとを備え、これらの双方が送信器と受信器とを備える無線システムを開示する本発明によって達成される。本発明のシステムにおいて、第１の無線ユニットは第１の外部の無線ユニットと通信するように構成され、第２の無線ユニットは第２の外部の無線ユニットと通信するように構成される。
【０００６】
本発明によれば、無線ユニットの双方の送信機は、これらが通信するように構成された方の外部の無線ユニットからの要求に応じて、これらの送信信号の出力電力レベルを変化させるように構成され、送信器の双方はまた、他方の無線ユニットの送信器の出力電力レベルにおける変化に応じて、これらの送信信号の出力電力レベルを変化させて、送信器のうちの一方の出力電力レベルにおける要求された変化が、送信器の双方の出力電力レベルにおける変化をもたらすように構成される。
【０００７】
従って、本発明によれば、送信機の出力電力レベルの「共通の（common）」制御が用いられ、これにより、少なくとも無線ユニットから見た「送信方向」において、異なるパス間で「電力バランス（power  balance）」を維持することが可能となる。また、送信機における電力増加は、最も高い電力増加を必要とするパスによって決定される。
【０００８】
本発明の無線システムの一実施形態において、出力電力における増加である、要求された変化は、送信器の双方によって等しい量だけ実行されるが、この量は当該要求された量である。
【０００９】
本発明の無線システムの一実施形態において、外部の無線ユニットの双方が、同一の期間中に、増加である変化を要求する場合、無線ユニットは、これらの送信器に、より大きい増加を使用させるように構成される。
【００１０】
本発明の無線システムの一実施形態において、第１の無線ユニット及び第２の無線ユニットは、同一の期間中に、外部の無線ユニットの双方によって要求される、減少についての要求に応じて、これらの送信器に、これらの送信信号の電力レベルにおいて一方の減少のみを実行させるように構成される。当然ながら、本実施形態で用いられる期間は、本発明の範囲内で変更することができる設計パラメータであるが、当該期間についての好適な範囲は、１０−１００ミリ秒である。本発明の無線システムのこのような一実施形態において、第１及び第２の無線ユニットの送信器によって実行される減少は、要求される量が異なる場合、２つの外部の無線ユニットによって要求される減少のうちの小さい方である。本発明の無線システムの別のそのような実施形態において、要求された減少は、無線ユニットの双方の送信機によって等しい量だけ実行される。
【００１１】
本発明の無線システムの一実施形態において、無線ユニットは、これらの出力電力における増加又は減少に続く定義された期間中、これらの送信器の出力電力における増加又は減少についての要求を、無視するように構成される。当然ながら、本実施形態で用いられる期間は、本発明の範囲内で変更することができる設計パラメータであるが、当該期間についての好適な範囲は、１０−１００ミリ秒である。
【００１２】
本発明の無線システムの一実施形態において、無線ユニットのうちの少なくとも１つは、システムの他方の無線ユニットが通信するように構成された外部の無線ユニットからの干渉をキャンセルするためのキャンセレーション回路を備える。キャンセレーション回路は、無線ユニット自身の受信器によって受信される信号に加えて、他方の無線ユニットの受信器によって受信される信号のサンプルを受信することを用いて、そのキャンセレーションを行うように構成される。
【００１３】
本発明の上記及び他の実施形態は、以下の文章において、より詳細に記載される。
【図面の簡単な説明】
【００１４】
本発明は、添付の図面を参照しつつ、より詳細に下記に記載される。
【００１５】
【図１】本発明の無線システムの第１の実施形態が用いられる通信システムの概略図を示す。
【図２】本発明の無線システムの第２の実施形態が用いられる通信システムの概略図を示す。
【図３】本発明の無線システムの概略ブロック図を示す。
【図４】本発明の方法の概略フローチャートを示す。
【発明を実施するための形態】
【００１６】
図１は、本発明の無線システム１１０が用いられるシステム１００の概略図を示す。図示のように、本発明の無線システム１１０は、少なくとも第１の無線ユニット（radio unit）１２０と第２の無線ユニット１３０とを含み、これらの双方が受信器１２１、１３１と、送信器１２２、１３２とを備える。当然ながら、本発明の無線システム１１０に含まれるものとして図１に示される無線ユニットの数は、一例に過ぎない。本発明の無線システムは、２つを超える数の無線ユニットを含むことができる。
【００１７】
図１に示すように、無線ユニットの各々は、図１に１０１及び１０２として示す外部の無線ユニット（external  radio  unit）と通信する（communicate）ように構成されている（arranged）。第１の無線ユニット１２０は、外部の無線ユニット１０１と通信し、第２の無線ユニット１３０は、外部の無線ユニット１０２と通信する。「通信する（communicate）」という動詞は、本明細書において、無線ユニット１２０、１３０の送信器１２２、１３２から外部の無線ユニット１０１、１０２への送信と、無線ユニット１２０、１３０の受信器１２１、１３１による外部の無線ユニット１０１、１０２からの送信信号の受信とを指すために用いられる。象徴的に、第１の外部の無線ユニット１０１は、図１で「Ａ」とラベリングされているデータを送信しているものとして示され、第２の外部の無線ユニット１０２は、図１で「Ｂ」とラベリングされているデータを送信しているものとして示されており、データは矢印によって示されている。
【００１８】
また、点線の矢印によって図１に示されるように、無線ユニットの各々において、ある程度の干渉が存在する。即ち、第１の無線ユニット１２０は、外部の無線ユニット１０２から、与干渉信号（interfering  transmissions）「ｂ」をある程度は受信し、第２の無線ユニット１３０は、外部の無線ユニット１０１から、与干渉信号「ａ」をある程度受信するであろう。これは、本発明が低減することを意図するパス間干渉である。
【００１９】
本発明によれば、本発明の無線システム１１０は、パス間干渉を低減する機能（feature）を備える。図１に示されるように、第１及び第２の無線ユニットの送信器１２２と、１３２との間に、「±ΔＰ」とラベリングされている接続（connection）が存在する。図１のこの接続は、以下の機能の存在を象徴的に示すために用いられる：２つの無線ユニット１２０、１３０の送信器１２２、１３２は、これらが通信するように構成された（arranged）方の外部の無線ユニットからの要求に応じて、これらの送信信号の出力電力レベル（output  power  level）を変化させるように構成される。また、送信器の双方は、他の無線ユニットの送信器における増加（increase）に応じて、これらの送信信号の出力電力レベルを増加させるようにも構成されている。換言すると、送信器１２２、１３２のうちの１つの出力電力レベルにおける要求された増加は、送信器１２２、１３２の双方の出力電力レベルにおける増加をもたらす。
【００２０】
送信器間のこのような「リンケージ（linkage）」に起因して、パス間の電力バランス（即ち、無線ユニット１２０−外部の無線ユニット１０１及び無線ユニット１３０−外部の無線ユニット１０２の間の接続）が維持される。反対に、各無線ユニットが、その出力電力レベルを独立して増加させる場合、パス間の「電力バランス（power  balance）」に支障をきたし得るが、これは望ましくない。
【００２１】
また、上記の記載によって黙示的に示唆されるように、外部の無線ユニット１０１、１０２は、無線ユニット１２０、１３０にシグナリングするように構成される。例えば、パスフェージングに起因して、無線ユニットの出力電力レベルにおける増加が必要な場合、外部の無線ユニット１０１、１０２は、無線ユニット１２０、１３０と通信する。このような信号は、例えば、専用の制御チャネルで送信されることができる。又は、このような信号は他のチャネルに「織り交ぜる（interwoven）」こともできる。
【００２２】
対応する構成要素については図１から保たれる参照符号によって図２に示される、本発明の無線システムの更なる実施形態２００においては、無線ユニット１２０、１３０の少なくとも一方が、ただし好適には双方が、キャンセレーション回路１２３、１３３を備えるが、これらは図２にも示されるように以下のように機能する：第１の無線ユニット１２０のキャンセレーション回路１２３は、無線ユニット「自身の（own）」受信器、この場合は従って受信器１２１からの信号を受信するだけでなく、「他の（other）」無線ユニットの受信器、即ち、第２の無線ユニット１３０の受信器１３１によって受信された信号のサンプルも受信する。それ故、図示のように、第１の無線ユニットのキャンセレーション回路１２３は、Ａ＋ｂと象徴的に示される信号を、「自身の（own）」受信器１２１と他の無線ユニットの受信器１３１との双方から受信する。同じ原理は、第１のキャンセレーションユニット１２３によって第２の無線ユニットの受信器１３１から受信される信号に用いられるが、Ｂはこの信号において優勢であり（dominating）、ａは与干渉信号（interfering  signal）である。また、同じ原理は、第２のキャンセレーションユニット１３３によって２つの受信器１２１、１３１から受信される信号を示すために用いられている。
【００２３】
キャンセレーション回路１２３の正確な機能を、当業者であれば認識されるように、本発明の範囲内で変更することができる。というのは、このようなキャンセレーション回路は周知だからである。しかしながら、キャンセレーション回路１２３、１３３がどのように機能するかという一例は、第１のキャンセレーション回路１２３と当該回路が受信する信号とを用いて例示することができる。
【００２４】
第１の受信器１２１から受信される信号はＡ＋ｂである。この信号ではＡを保つ（retain）ことが望ましく、ここで、Ａが図１においてＡ及び「ａ」と示される信号の双方を表すために用いられる場合、第２の受信器から受信される信号に、係数ｋ＝−ｂ／Ｂが乗算され、Ａ＋ｂに加算されて、第１のキャンセレーション回路１２３からの出力信号Ａ＊（１＋ｋ）を得る。同じ原理は、第２のキャンセレーション回路１３３によって適当に適用されて、信号Ｂ＊（１＋ｋ１）を得るが、ここでｋ１＝−ａ／Ａである。第２のキャンセレーション回路１３３からの出力信号は、図１で「Ｂ」と示される。ここではＢ信号が優勢な（dominant）信号だからである。
【００２５】
無線システム２００の無線ユニット１２０、１３０の機能は、図３を参照しつつ更に説明される。図３は、無線ユニット１２０の一実施形態のブロック図を示す。ここでは、本発明の無線システム１１０の無線ユニットのうちの一方１２０の機能のみが説明されるが、他方の無線ユニット１３０の機能は類似していることが理解されるべきである。図３において、図１及び図２からの参照符号は、対応するユニットについて維持されている。また、以下の記載は、キャンセレーションユニットを備えた無線ユニットに言及するが、以下の記載は、適用可能な部分においては、図１の無線ユニットにも同様に当てはまることが理解されるべきである。
【００２６】
図３に示されるように、無線ユニット１２０は、アンテナインタフェース２１０を備える。アンテナインタフェース２１０は、無線ユニット１２０の送信器１２２と受信器１３２をアンテナに接続する役割を果たす。図３に同様に示されるように、無線ユニット１２０は、制御ユニット２０８を備える。制御ユニット２０８は、特に、受信器１２１及び送信器１２２の機能を制御する。制御ユニット２０８は、１つ以上のプロセッサ、例えばマイクロプロセッサを適当に備えるが、必ずしも備えるわけではない。無線ユニット１２０はまた、インタフェースユニット２４０を備える。インタフェースユニット２４０は、１つ以上の他の無線ユニット、この場合は第２の無線ユニット１３０に対するインタフェースである。このため、インタフェースユニットは「ＲＵ  ２  Ｉｎｔ．」とラベリングされている。
【００２７】
インタフェースユニット２４０を介して、無線ユニット１２０は、第２の（又は、更に他の）無線ユニットから、上述した情報を、即ち、第２の無線ユニットの送信器１２２の出力電力レベルにおける増加についての要求に加えて、第２の無線ユニットの受信器によって受信された信号のサンプルを受信する。また、言及すべき点は、インタフェースユニット２４０が、「相互的である（reciprocal）」こと、即ち、インタフェースユニット２４０を介して受信される信号が、第２の無線ユニット１３０に送信される信号にも対応することである。ただし、第２の無線ユニット１３０が、そのような信号を利用できるように無線システム１１０が設計される場合である。
【００２８】
図３に示すように、キャンセレーション回路１２３及び送信器１２２への信号は、制御回路２０８を介して送られる。これは好適な一例としてのみ理解されるべきであり、信号を他の経路で送ること、例えば、信号をキャンセレーション回路１２３といった各々の宛先へ接続することも当然ながら本発明の範囲内である。キャンセレーション回路１２３の機能は上述されているので、ここでは詳述しない。
【００２９】
図３に同様に示されるように、無線ユニット１２０はまた、メモリユニット「Ｍｅｍ」２２０を備える。メモリユニットは、例えば、データと、妥当な場合は実行可能なプログラムコードとを制御ユニットに格納させるために用いられる。
【００３０】
図１に関連して説明したように、送信器１２２は、それが通信するように構成される方の外部の無線ユニット、即ち、外部の無線ユニット１０１からの要求に応じて、送信器１２２の送信信号の出力電力レベルを変化させるように構成されている。送信器１２２はまた、他方の無線ユニットの送信器の出力電力における変化に応じて、送信器１２２の送信信号の出力電力レベルを変化させて、送信器のうちの１つの出力電力レベルにおける要求された増加が、双方の送信器の出力電力レベルにおける増加をもたらすように構成されている。このような増加は、制御ユニット２０８によって、特に、「自身の（own）」受信器１２１によって受信される信号に含まれる情報に加えて、インタフェースユニット２４０から制御ユニットによって受信される情報を用いて、適当に制御される。また、第２の無線ユニット１３０が、そのような情報を利用するように設計されている場合、制御ユニット２０８は、増加（及び、後述するように、幾つかの実施形態では、減少（decrease））についての要求を、インタフェースユニット２４０を介して第２の無線ユニットに送信する。
【００３１】
送信器１２２、１３２からの出力電力レベルにおける増加に関しては、以下の原理に適当に従う：無線ユニットのうちの１つが出力電力の増加についての要求を受信する場合、当該要求は双方の送信器によって等しい量だけ満たされるが、これは要求された量でもある。
【００３２】
外部の無線ユニットの双方が、全く同一の期間に増加を要求する場合、これは、要求された増加のうちの大きな方（the  larger  requested  increase）を送信器に使用させることで、適当に処理される。これは、２つの無線ユニットの制御ユニットによって適当に処理される。言うまでもなく、当該期間は、異なるシステム間で変更することができる設計パラメータであるが、このような期間についての適当な範囲は、１０−１００ミリ秒である。
【００３３】
先に論じたように、本発明の幾つかの実施形態において、無線ユニットはまた、全ての（この場合は、双方の）外部の無線ユニットによって同一の期間に減少が要求された場合、外部の無線ユニットからの減少についての要求に応じて、無線ユニットの送信器に、その出力電力レベルを減少させるように構成される。言うまでもなく、当該期間は、異なるシステム間で変更することができる設計パラメータであるが、このような期間についての適当な範囲は、１０−１００ミリ秒である。
【００３４】
このような一実施形態において、第１及び第２の無線ユニット１２０及び１３０の送信器１２２、１３２によって実行される減少は、要求される量が異なる場合、２つの外部の無線ユニットによって要求される減少のうちの小さい方（the  smaller）である。これは、最も高い電力レベルを必要とするパスについて、その必要が無線システムによって満たされることを確保するためである。
【００３５】
要求された減少は、双方の無線ユニット１２０、１４０の送信器１２２、１３２によって、等しい量だけ適当に実行される。
【００３６】
「過剰な調節（over-regulation）」を回避するために、一実施形態において、無線ユニット１２０、１３０は、これらの出力電力レベルにおける増加又は減少に続く、定義された期間（defined  period）中、これらの送信器の出力電力における増加又は減少についての要求を、無視するように構成される。言うまでもなく、当該期間は、異なるシステム間で変更することができる設計パラメータであるが、このような期間についての適当な範囲は、１０−１００ミリ秒である。
【００３７】
図３はまた、点線を用いて示される、無線ユニット１２０の別の構成を示す：図示のように、無線ユニット１２０は、図３で「ΔＰ  Ｉｎｔ．」と示される、更なるインタフェースユニット２１２、即ち、「ΔＰ  インタフェース」を備えることができる。このユニット２１２は、無線ユニット１２０が含まれる無線システムにおいて、無線ユニット１２０及び１つ以上の他の無線ユニットに共通である、電力制御ユニット２１４「ΔＰ  Ｃｔｒｌ」とインタフェースをとる。従って、図２に示される例では、付加的なインタフェースユニットが、変化（variations）、即ち、出力電力レベルにおける増加及び／又は減少についてのコマンドを受信する。本明細書において、「ΔＰ」という表記は、そのような変化に対して用いられて、制御ユニットからのコマンドが、「デルタ（delta）」、即ち、無線ユニット１２０がインストールされたときに適当に設定され、且つ、無線ユニットの例えばメモリユニット２２０に適当に格納される名目電力レベルに対する相対値として、適当に与えられることが示される。
【００３８】
図３で「ΔＰ  Ｃｔｒｌ」２１４と示されるもののような、共通の（common）電力制御ユニットを用いる実施形態では、送信器Ｔｘ１の出力電力レベルの変化についての要求は、受信器Ｒｘ１  １２１を介して適当に受信され、インタフェース２１２を介して共通の電力制御ユニットに送られる；送信器ユニット１２２の出力電力レベルの変化についてのコマンドはまた、共通の電力制御ユニットからインタフェース２１２を介して受信される。また、共通の電力制御ユニットが用いられる場合、当該ユニットが、本発明のシステムに含まれる他の無線ユニットの送信器、即ち、図２に示される場合では第２の無線ユニット１３０の送信器１３２に加えて、送信器Ｔｘ１の出力電力レベルの変化についての値を設定することに関与するロジック（logic）を処理することが適当である。
【００３９】
図４は、本発明の方法４００の概略フローチャートを示す。オプション又は代替案であるステップは、図４において点線及び点線の矢印を用いて示される。
【００４０】
図４に示され、また、上記の記載から明らかになったように、本発明の方法４００は、図１及び図２の無線システム１１０といった無線システムでの使用を意図されるものであり、ボックス４１０を含む。即ち、少なくとも、第１の外部の無線ユニットと通信するための第１の無線ユニットと、第２の外部の無線ユニットと通信するための第２の無線ユニットとを使用し、双方の無線ユニットが送信器及び受信器を備える。
【００４１】
本発明によれば、方法４００は、ボックス４１５で、無線ユニットの双方の送信器に、これらが通信する方の外部の無線ユニットからの要求に応じて、これらの送信信号の出力電力レベルを変化させることと、ボックス４２０で、送信器のうちの１つの出力電力レベルにおける要求された変化が、双方の送信器の出力電力レベルにおける変化をもたらすように、送信器の双方に、他の無線ユニットの送信器における増加に応じて、これらの送信信号の出力電力レベルを増加させることとを含む。
【００４２】
方法４００の一実施形態において、ボックス４２５で、要求された変化ΔＰが増加についての要求である場合、要求された増加ΔＰは、双方の送信器によって等しい量だけ実行されるが、これは要求された量である。
【００４３】
方法４００の一実施形態において、ボックス４３０で、外部の無線ユニットの双方が変化を要求し、当該変化が同一の期間中の増加である場合、無線ユニットは、自身の送信器に、より大きな増加ΔＰを使用させる。
【００４４】
方法４００の一実施形態において、ボックス４３５で、第１及び第２の無線ユニットの双方の送信器は、これらの送信信号の電力レベルにおける減少−ΔＰのみを、減少についての要求に応じて実行するが、当該要求は、図４でΔｔと示される同一の期間中に、外部の無線ユニットの双方によって要求される。
【００４５】
方法４００の一実施形態において、第１及び第２の無線ユニットの送信器によって実行される減少は、要求される量が異なる場合、２つの外部の無線ユニットによって要求される減少のうちの小さい方（the  smaller）である。
【００４６】
方法４００の一実施形態において、要求された減少は、双方の無線ユニットの送信器によって等しい量だけ実行される。
【００４７】
方法４００の一実施形態において、無線ユニットは、これらの送信器の出力電力レベルにおける増加又は減少に続く、定義された期間（defined  period）中のこれらの送信器の出力電力における増加又は減少についての要求を無視する。
【００４８】
方法４００の１つの実施形態において、少なくとも無線ユニット（１２０、１３０）のうちの一方は、システム中の他方の無線ユニットが通信するように構成された外部の無線ユニットからの干渉をキャンセルするために、キャンセリング動作（cancelling  operation）を実行する。当該キャンセリングは、無線ユニット自身の受信器によって受信される信号に加えて、他方の無線ユニットの受信器によって受信される信号のサンプルを受信することを用いて行われる。
【００４９】
本発明は、図面に示され、上述された実施形態の例に限定されるものではなく、添付の特許請求の範囲内において自由に変更され得る。
【図１】
0005475894.tif 000002
【図２】
0005475894.tif 000003
【図３】
0005475894.tif 000004
【図４】
0005475894.tif 000005